(57)【特許請求の範囲】
【請求項１】
観察光学系と、撮影光学系と、該観察光学系及び該撮影光学系を収容するケーシングとを具備し、前記観察光学系を合焦させるべく該観察光学系の一部分はその他の部分に対して相対的に移動可能とされ、更に、前記観察光学系に合焦を行わせるための転輪部と、この転輪部の回転運動を前記観察光学系の双方の部分の相対的移動に変換させる運動変換機構とを具備し、前記転輪部がその回転操作のために前記ケーシングの頂部壁から部分的に露出された撮影機能付観察光学装置において、
前記ケーシングの頂部壁の上側壁面には前記撮影光学系によって捉えられた被写体像を表示するためのモニタ用表示器が設けられ、このモニタ用表示器はその前方縁側で前記撮影光学系の光軸に対して直角な回動軸線のまわりで収納位置と表示位置との間で回動自在とされ、前記モニタ用表示器が前記収納位置に置かれたとき、該モニタ用表示器の表示画面が前記ケーシングの頂部壁の上側壁面側に向けられ、前記モニタ用表示器が前記表示位置に置かれたとき、該モニタ用表示器の表示画面が前記観察光学系の接眼側に向けられ、前記モニタ用表示器が前記収納位置に置かれたとき、前記転輪部の露出部が該モニタ用表示器によって覆われることを特徴とする撮影機能付観察光学装置。
【請求項２】
請求項１に記載の撮影機能付観察光学装置において、前記ケーシングの上側壁面には前記撮影光学系で捉えられた被写体像を前記モニタ用表示器に動画として表示するか否かを選択するための被写体像表示スイッチが設けられ、前記モニタ用表示器が前記収納位置に置かれたとき、前記被写体像表示スイッチが該モニタ用表示器によって覆われることを特徴とする撮影機能付観察光学装置。
【請求項３】
請求項２に記載の撮影機能付観察光学装置において、前記モニタ用表示器が前記収納位置に置かれたとき、前記被写体像表示スイッチが該モニタ用表示器に隣接して配置され、前記モニタ用表示器には前記被写体像表示スイッチを覆うための張出し部が形成されることを特徴とする撮影機能付観察光学装置。
【請求項４】
請求項１から３までのいずれか１項に記載の撮影機能付観察光学装置において、前記転輪部が転輪軸筒の周囲拡張部として構成され、前記撮影光学系が前記転輪軸筒内に設置されることを特徴とする撮影機能付観察光学装置。
【請求項５】
請求項１から４までのいずれか１項に記載の撮影機能付観察光学装置において、前記観察光学系が一対設けられ、前記ケーシングには、ケーシング本体部分と、このケーシング本体部分に対して摺動自在となった可動ケーシング部分とが含まれ、前記ケーシング本体部分には前記一対の観察光学系の一方が収容され、前記可動ケーシング部分には前記一対の観察光学系の他方が収容され、前記ケーシング本体部分に対して前記可動ケーシング部分を相対的に移動させることにより前記一対の観察光学系の眼幅調節が行われ、前記モニタ用表示器が前記ケーシング本体部分の頂部壁上に配置されることを特徴とする撮影機能付観察光学装置。
【請求項６】
請求項４に記載の撮影機能付観察光学装置において、前記撮影光学系を合焦させるべく前記転輪軸筒の回転運動を該撮影光学系の直線運動に変換させる合焦機構が設けられることを特徴とする撮影機能付観察光学装置。
【請求項７】
請求項６に記載の撮影機能付観察光学装置において、前記転輪軸筒の後方側端から所定距離だけ離れて前記撮影光学系と整列された固体撮像素子が設けられ、前記撮影光学系の合焦点が前記固体撮像素子の受光面とされ、前記固体撮像素子によって捉えられた被写体像が前記モニタ用表示器に必要に応じて表示されることを特徴とする撮影機能付観察光学装置。
【請求項８】
請求項１から７までのいずれか１項に記載の撮影機能付観察光学装置において、前記観察光学系の一部分が前記ケーシング内に完全に収容された収納位置と該ケーシングから突出した観察位置との間で移動可能とされることを特徴とする撮影機能付観察光学装置。
【発明の詳細な説明】
【０００１】
【発明の属する技術分野】
本発明は撮影系を搭載した撮影機能付観察光学装置に関する。
【０００２】
【従来の技術】
周知のように、双眼鏡や単眼鏡等の観察光学装置は例えばスポーツ観戦や野鳥観察等に利用される。このような場合、観戦者及び観察者は写真として記録したい場面に屡々遭遇するが、しかし観察光学装置をカメラに持ち替える間にシャッタチャンスを逃すことは容易に想像し得る。そこで、観察光学装置で観戦或いは観察中にシャッタチャンスを逃すことなく直ちに撮影を行えるように、観察光学装置に撮影機能を搭載することが既に提案されている。例えば、実開平6-2330号公報には双眼鏡の上部にカメラ部を搭載したタイプの撮影機能付双眼鏡が開示されている。
【０００３】
ところで、撮影機能付観察光学装置に撮影機能として所謂デジタルカメラ機能を与えるような場合には、通常のデジタルカメラのように、被写体像をモニタするために例えばモニタ用表示例えばＬＣＤ(liquid crystal display)表示器を撮影機能付観察光学装置にも設置することが望まれるが、しかしそのようなＬＣＤ表示器の設置箇所については撮影機能付観察光学装置の双眼鏡或いは単眼鏡としての機能を配慮して決められるべきである。即ち、撮影機能付観察光学装置でもその主機能は双眼鏡或いは単眼鏡としての機能であり、かくして双眼鏡或いは単眼鏡での観察時にその観察者の観察動作に余り支障を来すことなくＬＣＤ表示器の表示画面が容易にモニタし得るように、ＬＣＤ表示器の設置箇所については配慮することが必要である。
【０００４】
また、撮影機能付観察光学装置にＬＣＤ表示器を設置した場合、被写体像をＬＣＤ表示器に表示するか否かを選択するための被写体像表示スイッチを撮影機能付観察光学装置のケーシングの適当な箇所に設けることが必要となる。従来のデジタルカメラと同様に、被写体像表示スイッチは電源スイッチのオン状態でオン操作されると、撮影光学系で捉えられた被写体像がＬＣＤ表示器に動画として表示され、その動画表示は被写体像表示スイッチのオフ操作で解消される。撮影機能付観察光学装置の場合、デジタルカメラと異なり、観察目的のみでも利用されるためケースから取り出した状態で長時間携帯する場合が多く、また手袋などをしたままで保持されたり、スイッチ操作されることが多い。従って、例えば、撮影機能付観察光学装置の電源スイッチをオン状態の儘で持ち運ばれたとき、不用意に被写体像表示スイッチがオンすると、ＬＣＤ表示器での動画表示が無用に行われて、撮影機能付観察光学装置のバッテリ電源が無駄に消費されるとういことになる。
【０００５】
更に、上述の実開平6-2330号公報に開示されているように、観察光学装置としての双眼鏡に単にカメラ部を附加した構成の撮影機能付観察光学装置の場合には、その全体構成が該カメラ部の分だけ嵩張った構造となり、使い勝手の面で実用化し難いものと言わざるを得ない。
【０００６】
一方、観察光学系の一方にハーフミラーを組み込んで該観察光学系から得られる観察像を撮影光学系に導くタイプの撮影機能付観察光学装置も提案されている。このような撮影機能付観察光学装置においては、撮影光学系の一部は観察光学系の対物レンズ系によって代用される。従って、この種のタイプの撮影機能付観察光学装置は上述の実開平6-2330号公報に開示されたものに比べるとコンパクトな構成となり得るが、しかしカメラの撮影光学系に導かれる光量が少ないという点が問題とされる。即ち、観察光学系に導入される全光量の半分程度が撮影光学系に導かれるに過ぎない。
【０００７】
【発明が解決しようとする課題】
従って、本発明の目的は、撮影光学系を搭載した撮影機能付観察光学装置であって、被写体像のモニタ用表示器の設置箇所について工夫された撮影機能付観察光学装置を提供することである。
【０００８】
本発明の別の目的は、上述したような撮影機能付観察光学装置であって、被写体像をモニタ用表示器に表示するか否かを選択するための被写体像表示スイッチの操作が必要とされないとき、その誤操作を確実に回避し得るように構成された撮影機能付観察光学装置を提供することである。
【０００９】
本発明の更に別の目的は、上述したような撮影機能付観察光学装置であって、その双眼鏡或いは単眼鏡としての機能を果たすために必要とされる全体構成以上に大巾に嵩張らせることなく構成された撮影機能付観察光学装置を提供することである。
【００１０】
本発明の更に別の目的は、上述したような撮影機能付観察光学装置であって、撮影を十分な光量で行い得る撮影機能付観察光学装置を提供することである。
【００１１】
【課題を解決するための手段】
本発明による撮影機能付観察光学装置は、観察光学系と、撮影光学系と、該観察光学系及び該撮影光学系を収容するケーシングとを具備し、観察光学系を合焦させるべく該観察光学系の一部分はその他の部分に対して相対的に移動可能とされる。本発明による撮影機能付観察光学装置は、更に、観察光学系に合焦を行わせるための転輪部と、この転輪部の回転運動を観察光学系の双方の部分の相対的移動に変換させる運動変換機構とを具備し、転輪部がその回転操作のためにケーシングの頂部壁から部分的に露出されている。本発明によれば、このような撮影機能付観察光学装置において、ケーシングの頂部壁の上側壁面には撮影光学系によって捉えられた被写体像を表示するためのモニタ用表示器が設けられ、このモニタ用表示器はその前方縁側で撮影光学系の光軸に対して直角な回動軸線のまわりで収納位置と表示位置との間で回動自在とされ、モニタ用表示器が収納位置に置かれたとき、該モニタ用表示器の表示画面がケーシングの頂部壁の上側壁面側に向けられ、モニタ用表示器が表示位置に置かれたとき、該モニタ用表示器の表示画面が観察光学系の接眼側に向けられ、モニタ用表示器が収納位置に置かれたとき、転輪部の露出部が該モニタ用表示器によって覆われる。
【００１２】
本発明の好適な実施形態にあっては、ケーシングの上側壁面には撮影光学系で捉えられた被写体像をモニタ用表示器に動画として表示するか否かを選択するための被写体像表示スイッチが設けられ、モニタ用表示器が収納位置に置かれたとき、前記被写体像表示スイッチが該モニタ用表示器によって覆われる。好ましくは、モニタ用表示器が収納位置に置かれたとき、被写体像表示スイッチが該モニタ用表示器に隣接して配置され、モニタ用表示器には被写体像表示スイッチを覆うための張出し部が形成される。
【００１３】
また、本発明の好適な実施形態にあっては、転輪部は転輪軸筒の周囲拡張部として構成され、撮影光学系が転輪軸筒内に設置される。
【００１４】
更に、本発明の好適な実施形態にあっては、観察光学系が一対設けられ、これにより撮影機能付観察光学装置は双眼鏡として構成される。この場合には、好ましくは、ケーシングは、ケーシング本体部分と、このケーシング本体部分に対して摺動自在となった可動ケーシング部分とから構成される。ケーシング本体部分には一対の観察光学系の一方が収容され、可動ケーシング部分には一対の観察光学系の他方が収容され、ケーシング本体部分に対して可動ケーシング部分を相対的に移動させることにより一対の観察光学系の眼幅調節が行われ、モニタ用表示器はケーシング本体部分の頂部壁上に配置される。
【００１５】
本発明の更に別の好適な実施形態では、撮影光学系を合焦させるべく転輪軸筒の回転運動を該撮影光学系の直線運動に変換させる合焦機構が設けられる。この場合には、好ましくは、転輪軸筒の後方側端から所定距離だけ離れて撮影光学系と整列された固体撮像素子が設けられ、撮影光学系の合焦点が固体撮像素子の受光面とされ、固体撮像素子によって捉えられた被写体像がモニタ用表示器に必要に応じて表示される。
【００１６】
本発明の更に別の好適な実施形態では、観察光学系の一部分はケーシング内に完全に収容された収納位置と該ケーシングから突出した観察位置との間で移動可能とされ、該観察光学系の一部分が収納位置に収納されたとき、撮影機能付観察光学装置は最もコンパクトな状態とされる。
【００１７】
【発明の実施の形態】
次に、添付図面を参照して、本発明による撮影機能付観察光学装置の一実施形態について説明する。
【００１８】
本実施形態では、撮影機能付観察光学装置は撮影機能付双眼鏡として構成される。先ず、図１を参照すると、本発明による撮影機能付双眼鏡の内部構造が示され、図２を参照すると、図１のII-II線に沿う断面図が示されている。本実施形態では、撮影機能付双眼鏡は略直方形を呈するケーシング１０を具備し、このケーシング１０はケーシング本体部分１０Ａと可動ケーシング部分１０Ｂとから成る。
【００１９】
ケーシング１０内には一対の観察光学系１２Ｒ及び１２Ｌが設けられ、この一対の観察光学系１２Ｒ及び１２Ｌは左右対象な構成を有し、それぞれ右眼観察用及び左眼観察用として使用される。右側観察光学系１２Ｒはケーシング本体部分１０Ａに組み込まれ、この右側観察光学系１２Ｒには対物レンズ系１４Ｒ、光学プリズム系１６Ｒ及び接眼レンズ系１８Ｒが含まれる。ケーシング本体部分１０Ａの前方壁には観察窓１９Ｒが形成され、この観察窓１９Ｒは右側観察光学系１２Ｒの対物レンズ系１４Ｒと整列させられる。また、左側観察光学系１２Ｌは可動ケーシング部分１０Ｂ側に組み込まれ、この左側観察光学系１２Ｌには対物レンズ系１４Ｌ、光学プリズム系１６Ｌ及び接眼レンズ系１８Ｌが含まれる。可動ケーシング部分１０Ｂの前方壁には観察窓１９Ｌが形成され、この観察窓１９Ｌは左側観察光学系１２Ｌの対物レンズ系１４Ｌと整列させられる。
【００２０】
なお、以下の記載では、説明の便宜上、前方側及び後方側とはそれぞれ撮影機能付双眼鏡の観察光学系（１２Ｒ、１２Ｌ）に対して対物側及び接眼側として定義される。
【００２１】
可動ケーシング部分１０Ｂはケーシング本体部分１０Ａから左方側に引き出し得るように該ケーシング本体部分１０Ａに対して摺動自在に係合させられる。即ち、可動ケーシング部分１０Ｂは図２に示す収納位置と図３に示す最大引出し位置との間で左右方向に移動自在とされる。可動ケーシング部分１０Ｂとケーシング本体部分１０Ａとの間の摺動係合面には或る程度の摩擦力が働くようになっており、このためケーシング本体部分１０Ａに対して可動ケーシング部分１０Ｂを移動させる際には双方の部分１０Ａ及び１０Ｂ間に所定以上の引出し力或いは押込み力を及ぼすことが必要となる。要するに、可動ケーシング部分１０Ｂはその収納位置（図２）と最大引出し位置（図３）との間の任意の位置で摩擦力で留めておくことが可能である。
【００２２】
図２及び図３の比較から明らかなように、可動ケーシング部分１０Ｂがケーシング本体部分１０Ａから引き出されたとき、左側観察光学系１２Ｌは可動ケーシング部分１０Ｂと共に移動するが、しかし右側観察光学系１２Ｒはケーシング本体部分１０Ａ側に留められる。即ち、可動ケーシング部分１０Ｂをケーシング本体部分１０Ａに対して任意の引出し位置に位置決めすることにより、右側観察光学系１２Ｒの接眼レンズ系１８Ｒと左側観察光学系１２Ｌの接眼レンズ系１８Ｌとの光軸間距離即ち眼幅を調節することが可能である。
【００２３】
本実施形態においては、右側観察光学系１２Ｒの対物レンズ系１４Ｒはケーシング本体部分１０Ａに対して固定位置に設置されるが、その光学プリズム系１６Ｒ及び接眼レンズ系１８Ｒは対物レンズ系１４Ｒに対して前後方向に移動可能であり、これにより右側観察光学系１２Ｒの合焦（フォーカシング）が行われる。同様に、左側観察光学系１２Ｌの対物レンズ系１４Ｌは可動ケーシング部分１０Ｂに対して固定位置に設置されるが、その光学プリズム系１６Ｌ及び接眼レンズ系１８Ｌは対物レンズ系１４Ｌに対して前後方向に移動可能であり、これにより左側観察光学系１２Ｌの合焦（フォーカシング）が行われる。
【００２４】
以上で述べたような眼幅調節及び合焦動作を行わせるために、ケーシング１０の底部側には図４に示すような支持板構造体２０が設けられる。なお、図１では、図示の複雑化を避けるために支持板構造体２０は省かれている。
【００２５】
支持板構造体２０は、ケーシング本体部分１０Ａに対して適宜固定された矩形状固定板２０Ａと、この矩形状固定板２０Ａ上に摺動自在に配置されかつ可動ケーシング部分１０Ｂに対して適宜固定されたスライド板２０Ｂとから成る。スライド板２０Ｂは矩形状固定板２０Ａの前後方向の幅にほぼ等しい幅を持つ矩形状部２２と、この矩形状部２２から右方側に一体的に延在した延在部２４とから成る。右側観察光学系１２Ｒの対物レンズ系１４Ｒは矩形状固定板２０Ａ上の所定位置に固定設置され、左側観察光学系１２Ｌの対物レンズ系１４Ｌはスライド板２０Ｂ上の所定位置に固定設置させられる。
【００２６】
スライド板２０Ｂの矩形状部２２には一対の案内スロット２６が形成され、またその延在部２４には案内スロット２７が形成される。一方、固定板２２には、一対の案内スロット２６に摺動自在に受け入れるようになった一対の案内ピン２６′と、案内スロット２７に摺動自在に受け入れるようになった案内ピン２７′とが植設される。各案内スロット（２６、２７）は左右方向に同じ長さだけ延び、その長さはケーシング本体部分１０Ａに対する可動ケーシング部分１０Ｂの移動距離、即ち可動ケーシング部分１０Ｂの収納位置（図２）と可動ケーシング部分１０Ｂの最大引出し位置（図３）との間の距離に対応する。
【００２７】
図２及び図３から明らかなように、支持板構造体２０はケーシング１０内にその底部から適当な間隔を空けて設置され、このとき矩形状固定板２０Ａはケーシング本体部分１０Ａ側に適宜固定され、またスライド板２０Ｂは可動ケーシング部分１０Ｂ側に適宜固定される。なお、図示の実施形態では、可動ケーシング部分１０Ｂに対するスライド板２０Ｂの固定のために、その矩形状部２２の左辺縁の一部に沿って取付片２８が設けられ、この取付片２８が可動ケーシング部分１０Ｂの仕切り壁２９に適宜固着される。
【００２８】
図５を参照すると、右側観察光学系１２Ｒの光学プリズム系１６Ｒを搭載するための右側マウント板３０Ｒと、左側観察光学系１２Ｌの光学プリズム系１６Ｌを搭載するための左側マウント板３０Ｌが示される。図５及び図６から明らかなように、右側マウント板３０Ｒ及び左側マウント板３０Ｌのそれぞれの後方側縁辺に沿って直立板３２Ｒ及び３２Ｌが設けられる。図１に示すように、右側直立板３２Ｒは右側接眼レンズ系１８Ｒの取付座として用いられ、左側直立板３２Ｌは左側接眼レンズ系１８Ｌの取付座として用いられる。
【００２９】
図６に示すように、右側マウント板３０Ｒの底面にはその右側縁辺のほぼ中央に沿って案内シュー３４Ｒが固着され、この案内シュー３４Ｒには図２及び図３に示すように矩形状固定板２０Ａの右側端縁を摺動自在に受け入れる溝３６Ｒが形成される。また、右側マウント板３０Ｒの左側縁辺に沿って側壁３８Ｒが設けられ、この側壁３８Ｒの底部側は肥大部４０Ｒとして形成され、この肥大部４０Ｒには案内ロッド４２Ｒを摺動自在に挿通させるボアが形成される。案内ロッド４２Ｒの両端は矩形状固定板２０Ａの前方側縁辺及び後方側縁辺にそれぞれ一体的に形成された一対の対向直立支持片４４Ｒに形成された孔に挿通させられて適宜固定される。
【００３０】
一方、左側マウント板３０Ｌの底面にはその左側縁辺のほぼ中央に沿って案内シュー３４Ｌが固着され、この案内シュー３４Ｌには図２及び図３に示すようにスライド板２０Ｂの左側端縁を摺動自在に受け入れる溝３６Ｌが形成される。また、左側マウント板３０Ｌの右側縁辺に沿って側壁３８Ｌが設けられ、この側壁３８Ｌの底部側は肥大部４０Ｌとして形成され、この肥大部４０Ｌには案内ロッド４２Ｌを摺動自在に挿通させるボアが形成される。案内ロッド４２Ｌの両端はスライド板２０Ｂの前方側縁辺及び後方側縁辺にそれぞれ一体的に形成された一対の対向直立支持片４４Ｌに形成された孔に挿通させられて適宜固定される。
【００３１】
なお、上述したように、支持板構造体２０は図１では省かれているが、一対の対向直立支持片４４Ｒと一対の対向直立支持片４４Ｌとについては図示されている。
【００３２】
右側観察光学系１２Ｒの対物レンズ系１４Ｒは右側マウント板３０Ｒの前方側に配置されているので、右側マウント板３０Ｒを案内ロッド４２Ｒに沿って前後に移動させることにより、対物レンズ系１４Ｒと光学プリズム系１６Ｒとの距離が調節させられ、このため右側観察光学系１２Ｒの合焦動作が行われることになる。同様に、左側観察光学系１２Ｌの対物レンズ系１４Ｌは左側マウント板３０Ｌの前方側に配置されているので、左側マウント板３０Ｌを案内ロッド４２Ｌに沿って前後に移動させることにより、対物レンズ系１４Ｌと光学プリズム系１６Ｌとの距離が調節させられ、このため左側観察光学系１２Ｌの合焦動作が行われることになる。
【００３３】
右側マウント板３０Ｒ及び左側マウント板３０Ｌをそれぞれの案内ロッド４２Ｒ及び４２Ｌに沿って同期して移動させると共に右側マウント板３０Ｒに対する左側マウント板３０Ｌの左右方向の移動を許容させるために、図５に最もよく示すように、右側マウント板３０Ｒ及び左側マウント板３０Ｌは伸縮自在の連結手段４６によって互いに連結させられる。
【００３４】
詳述すると、本実施形態では、連結手段４６は、右側マウント板３０Ｒの側壁４０Ｒの肥大部４２Ｒの前方端部から左方側に延びた横断面矩形状のロッド部材４６Ａと、このロッド部材４６Ａを摺動自在に受け入れる二股部材４６Ｂとから成る。ロッド部材４６Ａ及び二股部材４６Ｂの長さについては、可動ケーシング部分１０Ｂが収納位置（図２）から最大引出し位置（図３）まで引き出された際にもロッド部材４６Ａと二股部材４６Ｂとの摺動係合が維持され得るものとされる。かくして、可動ケーシング部分１０Ｂがケーシング本体部分１０Ａに対してどのような引出し位置にあっても、右側マウント板３０Ｒ及び左側マウント板３０Ｌはそれぞれの案内ロッド４２Ｒ及び４２Ｌに沿って同期して移動することができる。なお、ロッド部材４６Ａには横断面矩形状の孔４７が形成されるが、この孔４７の機能については後で説明する。
【００３５】
図７を参照すると、図１のVII-VII線に沿って切断された縦断面図が示される。図１及び図７から明らかなように、ケーシング本体部分１０Ａの前方壁面には円形開口部４８が形成され、この円形開口部４８は可動ケーシング部分１０Ｂがケーシング本体部分１０Ａに対して収納位置に置かれているときケーシング１０の前方壁の中央に位置させられる。
【００３６】
ケーシング本体部分１０Ａの前方側壁の内側壁面からは円形開口部４８を取り囲むように前方スリーブ部材５０が一体的に突出させられ、この前方スリーブ部材５０の頂部側は図７に示すようにケーシング本体部分１０Ａと一体化させられる。一方、前方スリーブ部材５０から後方側に所定の間隔を置いて後方スリーブ部材５２が配置させられ、この後方スリーブ部材５２はケーシング本体部分１０Ａの頂部壁の内側壁面から吊下するような態様で一体成形される。
【００３７】
前方スリーブ部材５０と後方スリーブ部材５２とは互いに整列させられ、その間には転輪軸筒５４が回転自在に適宜保持される。転輪軸筒５４には転輪部５６が後方スリーブ部材５２に接近して設けられ、この転輪部５６は転輪軸筒５４の周囲拡張部として一体的に形成される。転輪部５６が後方スリーブ部材５２に接近して一体的に形成され、この転輪部５６の一部はケーシング本体部分１０Ａの頂部壁に形成された矩形開口部５８を通して外部に露出させられる。なお、一対の観察光学系１２Ｒ及び１２Ｌの合焦動作時、転輪部５６の露出部分は本発明による撮影機能付双眼鏡の観察者の例えば人指し指によって回転させられるようになっている。
【００３８】
転輪軸筒５４にはその前方端と転輪部５６との間に雄ねじ６０が形成され、この雄ねじ６０には環状体６２が螺着される。図２、図４及び図７から明らかなように、環状体６２には半径方向外側に突出する突起部６４が形成され、この突起部６４の先端は連結手段４６のロッド部材４６Ａに形成された横断面矩形状の孔４７に嵌入させられる。従って、転輪部５６が回転させられると、環状体６２は転輪軸筒５４の雄ねじ６０と螺着されているためにその長手軸線方向に沿って移動させられ、その移動方向は転輪部５６の回転方向に依存する。要するに、転輪軸筒５４と環状体６２とは転輪軸筒５４の回転運動を環状体６２の直線運動に変換させる運動変換機構を形成する。
【００３９】
環状体６２の突起部６４の先端は連結手段４６のロッド部材４６Ａの孔４７に嵌入されているので、環状体６２の移動に伴い、右マウント板３０Ｒ及び左マウント板３０Ｌも移動させられる。要するに、転輪部５６の回転により、対物レンズ系１４Ｒ及び１４Ｌのそれぞれに対する光学プリズム系１６Ｒ及び１６Ｌの距離が調整され、このため一対の観察光学系１２Ｒ及び１２Ｌの合焦動作が行われることになる。
【００４０】
環状体６２が両対物レンズ系に最も近い位置（以下、収納位置）にあるとき、両接眼レンズ系１８Ｒ、１８Ｌはケーシング１０内に完全に収納された位置にあり、撮影機能付双眼鏡は最もコンパクトな状態となる。そして、使用時においては、転輪部５６を操作して、この収納位置から若干対物光学系から離れた位置にある観察位置まで移動させるように構成されている。即ち、非使用時においては、ユーザが転輪部を回転操作して接眼レンズ系１８Ｒ，１８Ｌをケーシング内に収納し、最もコンパクトな状態で携行できるように構成されている。
【００４１】
本実施形態では、一対の観察光学系１２Ｒ及び１２Ｌについては、例えば、環状体６２が上記観察位置にあるときに40メール先から無限遠までの観察対象物の合焦が得られるようなパンフォーカス設計とされ、２メートル先から40メートル先までの観察対象物を観察するとき、転輪軸筒５４の回転により光学プリズム系１６Ｒ及び１６Ｌをそれぞれ対物レンズ系１４Ｒ及び１４Ｌから引き離して観察対象物の合焦が行われる。勿論、光学プリズム系１６Ｒ及び１６Ｌがそれぞれ対物レンズ系１４Ｒ及び１４Ｌから最大距離まで引き離されたとき、２メートル先の観察対象物の合焦が得られることになる。
【００４２】
転輪軸筒５４内にはレンズ鏡筒６６が設置させられ、このレンズ鏡筒６６内には第１レンズ群６８と第２レンズ群７０とから成る撮影光学系が保持される。一方、ケーシング本体部分１０Ａの後方側壁の内側壁面には回路基板７２が取り付けられ、この回路基板７２上には固体撮像素子例えばＣＣＤ(charge-coupled device)撮像素子７４が搭載され、このＣＣＤ撮像素子７４はその受光面が撮影光学系（６８、７０）と整列するように配置される。後方スリーブ部材５２の後方端面側には内側フランジ部が形成され、その内側フランジ部には光学的ローパスフィルタ７６が支持される。要するに、本実施形態では、撮影機能付双眼鏡には所謂デジタルカメラとしての撮影機能が与えられ、被写体は撮影光学系（６８、７０）によって光学的ローパスフィルタ７６を通してＣＣＤ撮像素子７４の受光面に結像させられる。
【００４３】
図１ないし図３では、撮影光学系（６８、７０）の光軸は参照符号ＯＳで示され、また右側及び左側観察光学系１２Ｒ及び１２Ｌのそれぞれの光軸が参照符号ＯＲ及びＯＬで示される。勿論、右側及び左側観察光学系１２Ｒ及び１２Ｌの光軸ＯＲ及びＯＬは互いに平行であり、しかも撮影光学系（６８、７０）の光軸ＯＳとも平行である。図２及び図３に示すように、右側及び左側観察光学系１２Ｒ及び１２Ｌの光軸ＯＲ及びＯＬは撮影光学系（６８、７０）の光軸ＯＳに平行な平面Ｐを決定し、右側及び左側観察光学系１２Ｒ及び１２Ｌは該平面Ｐに対して平行に移動することによりその光軸間距離即ち眼幅の調節がなされる。
【００４４】
もし撮影光学系（６８、７０）が適当な距離の前景被写体から無限遠の遠景被写体までの合焦が得られるようなパンフォーカス設計とされ、しかもその合焦可能範囲内だけで撮影を行うことが前提とされている場合には、レンズ鏡筒６６に合焦機構を組み込むことは必要とされない。しかしながら、本発明による撮影機能付双眼鏡を通常のカメラの場合と同様に、例えば２メール先の前景被写体についても撮影することが望まれる場合には、レンズ鏡筒６６にも合焦機構が必要となる。
【００４５】
そこで、本実施形態では、転輪軸筒５４の内周壁面には雌ねじが形成され、一方レンズ鏡筒６６の外周壁面には雄ねじが形成され、これによりレンズ鏡筒６６は転輪軸筒５４内で螺着される。レンズ鏡筒６６の前方端部は前方スリーブ部材５０内に挿入させられ、該前方端部には図７に示すように一対のキー溝７８が直径方向に形成され、各キー溝７８はレンズ鏡筒６６の前方端縁からその長手軸線方向に沿って所定長さだけ延びる。一方、前方スリーブ部材５０の後方側端面に接近した箇所には一対のボアが直径方向に形成され、各ボアにはキー溝７８に係合するようになったピン要素８０が植設される。要するに、キー溝７８とピン要素８０との係合により、レンズ鏡筒６６の回転が阻止される。
【００４６】
かくして、転輪軸筒５４がその転輪部５６の操作により回転させられると、レンズ鏡筒６６はその光軸に沿って移動させられる。即ち、転輪軸筒５４の内周壁面に形成された雌ねじとレンズ鏡筒６６の外周壁面に形成された雄ねじとは該転輪軸筒５４の回転運動をレンズ鏡筒６６の直線運動に変換するための運動変換機能を形成し、この運動変換機構はレンズ鏡筒６６の合焦機構として機能させられる。
【００４７】
転輪軸筒５４の外周壁面に形成される雄ねじ６０とその内周壁面に形成される雌ねじとは互いに逆向きとされ、このため転輪軸筒５４が光学プリズム系１６Ｒ及び１６Ｌをそれぞれ対物レンズ系１４Ｒ及び１４Ｌから引き離すように回転させられたとき、レンズ鏡筒６６はＣＣＤ撮像素子７４から遠のくように移動させられ、かくしてパンフォーカスの範囲から外れた前景被写体がＣＣＤ撮像素子７４の受光面に合焦された状態で結像される。勿論、転輪軸筒５４の外周壁面の雄ねじピッチ及びその内周壁面の雌ねじピッチのそれぞれについては、一対の観察光学系１２Ｒ及び１２Ｌの光学特性及び撮影光学系（６８、７０）の光学特性に応じて異なったものとされる。
【００４８】
図２、図３及び図７に示すように、ケーシング本体部分１０Ａの底部壁の下側壁面には三脚の雲台の雄ねじと螺着するようになった雌ねじ孔８１が形成される。図２から明らかなように、可動ケーシング部分１０Ｂがケーシング本体部分１０Ａに対して収納位置にあるとき、雌ねじ孔８１はケーシング１０の左右長のほぼ中央に位置し、その位置は撮影光学系（６８、７０）の光軸の直下となる。また、図７から明らかなように、雌ねじ孔８１はケーシング本体部分１０Ａの前方側縁辺に近接して配置される。
【００４９】
図１、図２及び図３に示すように、ケーシング本体部分１０Ａの右側端部内には電源回路基板８２が設けられ、この電源回路基板８２はケーシング本体部分１０Ａに対して適宜保持される。また、図２及び図３に示すように、ケーシング本体部分１０Ａの底部壁と支持板構造体２０との間には主制御回路基板８４が設けられ、この主制御回路基板８４はケーシング本体部分１０Ａの底部壁によって適宜支持される。主制御回路基板８４にはマイクロコンピュータやメモリ等の電子部品が搭載され、ＣＣＤ搭載用回路基板７２及び電源回路基板８２は平坦なフレキシブル配線コード（図示されない）を介して主制御回路基板８４に適宜接続される。
【００５０】
本実施形態では、図２、図３及び図７に示すように、ケーシング本体部分１０Ａの頂部壁の外側壁面にはＬＣＤ(liquid crystal display)表示器８６が配置され、このＬＣＤ表示８６は平坦な矩形状を呈する。矩形状ＬＣＤ表示器８６はその一方の対向側辺が撮影光学系（６８、７０）の光軸に対して直角となるように配置され、しかもその前方側縁辺に沿う回動軸８８のまわりで回動自在とされる。矩形状ＬＣＤ表示器８６は通常は図７に実線で示す収納位置に置かれ、このとき矩形状ＬＣＤ表示器８６の液晶表示画面はケーシング本体部分１０Ａの頂部壁の上側壁面に対して直接対向しかつ平行となるような姿勢とされるので、その液晶表示画面はモニタされ得ない。ＣＣＤ撮像素子７４によって撮影作動が行われるとき、ＬＣＤ表示器８６はその収納位置から図７で破線で部分的に示すような表示位置まで手動操作により回動させられ、このときＬＣＤ表示器８６の液晶表示画面が接眼レンズ系１８Ｒ及び１８Ｌの側からモニタされ得るようになっている。
【００５１】
図１、図２及び図３から明らかなように、可動ケーシング部分１０Ｂの左側端部内は仕切り壁２９によって仕切られ、その内部はバッテリ充填室９０として郭成される。バッテリ充填室９０には二本のバッテリ９２が充填され、電源回路基板８２は給電配線コード（図示されない）を介してバッテリ９２から給電を受け、ＣＣＤ搭載用回路基板７２上のＣＣＤ撮像素子、主制御回路基板８４上のマイクロコンピュータやメモリ等の電子部品及びＬＣＤ表示器８６は電源回路基板８２から給電される。
【００５２】
図２及び図３に最もよく示すように、電源回路基板８２には２つの接続コネクタ、即ちビデオ出力端子コネクタ出力９４とＵＳＢ出力端子コネクタ９５とが上下方向に並んで搭載され、これら接続コネクタ９４及び９５は例えば画像処理コンピュータ（図示されない）との接続ために用いられる。電源回路基板８２は接続コネクタ９４及び９５と共にシールドカバー９６によって覆われ、シールドカバー９６については適当な導体材料例えば適当な厚さの鋼板から形成することができる。
【００５３】
また、図２及び図３に示すように、主制御回路基板８４の下側にはＣＦカードホルダ９７が設けられ、このＣＦカードホルダ９７にはＣＦカードがメモリカードとして抜差し自在に挿入し得るようになっている。
【００５４】
図８及び図９を参照すると、本発明による撮影機能付双眼鏡の外観が平面図として図示される。図８及び図９において、参照符号１８Ｒ′及び１８Ｌ′はそれぞれ接眼レンズ系１８Ｒ及び１８Ｌを収納するためのレンズ鏡筒を示し、これらレンズ鏡筒１８Ｒ′及び１８Ｌ′の各々は横断面矩形状となっている。レンズ鏡筒１８Ｒ′は右側マウント板３０Ｒの後方縁辺に沿う直立板３２Ｒに装着され、レンズ鏡筒１８Ｌ′は左側マウント板３０Ｌの後方側縁辺に沿う直立板３２Ｌに装着される（図６）。なお、参照符号９８は可動ケーシング部分１０Ｂの頂部壁の上側壁面に形成された略半月状凹部を示し、この略半月状凹部９８には可動ケーシング部分１０Ｂをケーシング本体部分１０Ａから引き出す際に指を引っかけることができるので、ケーシング本体部分１０Ａからの可動ケーシング部分１０Ｂの引出しを容易に行うことができる。
【００５５】
図８ではＬＣＤ表示器８６は収納位置で示され、また図９ではＬＣＤ表示器８６は表示位置で示され、その液晶表示画面は参照符号１００で示される。図８及び図９から明らかなように、ＬＣＤ表示器８６が収納位置から表示位置まで移動させられると、ＬＣＤ表示器８６の液晶表示画面１００は撮影機能付双眼鏡の後方側即ち接眼側に向けられるので、観察者は観察動作時に撮影機能付双眼鏡を少し下げることによりＬＣＤ表示器８６の液晶表示画面１００をモニタすることができるだけでなく撮影機能付双眼鏡を少し上げることにより直ちに観察動作に戻ることもできる。要するに、観察者は一対の観察光学系１２Ｒ及び１２Ｌによる観察と液晶表示画面１００のモニタとの切替を迅速に行うことができるので、観察対象物（被写体）を見失うことなく最良のシャッタチャンスを容易に捉えることが可能となる。
【００５６】
また、図８から明らかなように、ＬＣＤ表示器８６が収納位置に置かれたとき、転輪部５６の露出部はＬＣＤ表示器８６によって完全覆われるので、撮影機能付双眼鏡の持ち運び時等に転輪部５６が何かに触れて不用意に回転させられるというようなことが防止される。上述したように、撮影機能付双眼鏡の非使用時では、両接眼レンズ系１８Ｒ、１８Ｌはケーシング１０内に完全に収納され、このとき撮影機能付双眼鏡は最もコンパクトな状態とされる。従って、このような状態でＬＣＤ表示器８６で転輪部５６の露出部が覆われると、転輪部５６が不用意に操作あるいは動かされることが防止されるので、撮影機能付双眼鏡の最もコンパクトな収納状態が維持され得る。
【００５７】
図８及び図９に示すように、ケーシング本体部分１０Ａの頂部壁の上側壁面上にはレリーズスイッチ１０２、被写体像表示スイッチ１０４、メニュー表示スイッチ１０６及び方向スイッチ１０８が設けられ、これらスイッチは右側観察光学系１２Ｒの上方領域に纏めて配置される。これらのスイッチは、不図示の電源スイッチと同様に、主制御回路基板８４上の不図示のマイクロコンピュータに接続されており、マイクロコンピュータはこれらスイッチの入力状態に基づいて、各スイッチ操作に割り当てられた動作を行う。勿論、スイッチ１０２、１０４、１０６及び１０８の操作は電源スイッチのオフ状態では無効であり、電源スイッチのオン後に有効となる。なお、電源スイッチはケーシング本体部分１０Ａの側壁の適当な箇所に設けられ、その頂部壁の上側壁面上には配置されない。
【００５８】
レリーズスイッチ１０２は撮影動作を開始させるスイッチであり、レリーズスイッチ１０２の押下により撮影作動が開始される。
【００５９】
被写体像表示スイッチ１０４はＬＣＤ表示器８６の液晶表示画面１００に被写体像を動画として表示させるか否かを選択する切替スイッチである。電源スイッチのオン直後では、ＬＣＤ表示器８６の液晶表示画面１００は何も表示されていない無表示状態とされる。被写体像表示スイッチ１０４が押下されると、即ち被写体像表示スイッチ１０４のオン操作が行われると、ＬＣＤ表示器８６の液晶表示画面１００に被写体像が動画として表示される。被写体像表示スイッチ１０４が再び押下されると、即ち被写体像表示スイッチ１０４のオフ操作が行われると、液晶表示画面１００は無表示状態に戻る。要するに、撮影機能付双眼鏡の電源スイッチがオン状態で被写体像表示スイッチ１０４が押下される度毎に、そのオン操作及びオフ操作が繰り返され、オン操作時にＬＣＤ表示器８６での動画表示が行われ、オフ操作時にＬＣＤ表示器８６での動画表示が解除されて無表示状態となる。
【００６０】
メニュー表示スイッチ１０６はＬＣＤ表示器８６の液晶表示画面１００にメニュー選択画面を表示させるか否かを選択する切替スイッチである。電源スイッチのオン直後では、ＬＣＤ表示器８６の液晶表示画面１００は何も表示されていない無表示状態とされる。メニュー表示スイッチ１０６が押下されると、ＬＣＤ表示器８６の液晶表示画面１００には種々の設定項目を含むメニュー選択画面が表示される。このとき方向スイッチ１０８のいずれかを押下することにより、設定項目が反転表示により選択されて確定される。メニュー表示スイッチ１０６が再び押下されると、液晶表示画面１００は無表示状態に戻る。
【００６１】
電源スイッチのオン後に被写体像表示スイッチ１０４が押下されると、ＣＣＤ撮像素子７４の受光面に結像された被写体像は一フレーム分の画像データに光電変換され、その一フレーム分の画像信号は所定の時間間隔で順次読み出されて適宜画像処理された後に一フレーム分のデジタル画像データに変換される。次いで、一フレーム分の画像データは主制御回路基板８４上のフレームメモリに一旦書き込まれ、そのフレームメモリからデジタルビデオ信号として読み出される。続いて、デジタルビデオ信号はアナログビデオ信号に変換された後に適宜画像処理されてＬＣＤ表示器８６に送られ、これによりＬＣＤ表示器８６の液晶表示画面１００には被写体像が動画として再現表示される。勿論、被写体像表示スイッチ１０４が再び押下されると、ＬＣＤ表示器８６の液晶表示画面１００は無表示状態に戻る。
【００６２】
レリーズスイッチ１０２がオンされると、上述のフレームメモリに書き込まれた一フレーム分の画像データが静止画像データとして読み出されて、主制御回路基板８４上のマイクロコンピュータ内のメモリに取り込まれ、そこで適宜画像処理された後にＣＦカード９７に所定のフォーマットに従って書き込まれる。ＣＦカード９７は必要に応じてＣＦカードホルダ９７から取り出され、例えば画像処理コンピュータのＣＦカード用ドライバに装填され、そこで一フレーム分の画像データは適宜処理された後に例えばプリンタによって撮影画像として出力される。一方、撮影機能付双眼鏡が接続コネクタ９４或いは９５を介して画像処理コンピュータに接続されている場合には、ＣＦカードをＣＦカードホルダ９７に装填された儘でその画像データを画像処理コンピュータに転送することも可能である。
【００６３】
図１０は図７と同様な縦断面図であって、上述した実施形態の変形実施形態を示す図である。図１０に示す変形実施形態では、転輪軸筒５４の回転運動を環状体６２の直線運動に変換するための運動変換機構と転輪軸筒５４の回転運動をレンズ鏡筒６６の直線運動に変換するための運動変換機構とが上述した実施形態の場合とは異なり、この点を除けば図１０の撮影機能付双眼鏡は図１ないし図９に示した撮影機能付双眼鏡と実質的に同じものである。なお、図１０では、図７に示した構成要素と同様な構成要素については同じ参照符号が用いられる。
【００６４】
詳述すると、図１０に示す変形実施形態では、転輪軸筒５４の外周壁面にはカム溝１１０（図１０では、カム溝１１０が平面上に展開された状態で破線によって示される）が形成され、このカム溝１１０には環状体６２の内側壁面からカムフォロワとして突出した短軸１１２が摺動係合させられ、このカム溝１１０と短軸１１２とにより、転輪軸筒５４の回転運動を環状体６２の直線運動に変換するための運動変換機構が形成される。一方、転輪軸筒５４の内周壁面にはカム溝１１４（図１０では、カム溝１１４が平面上に展開された状態で破線によって示される）が形成され、このカム溝１１４にはレンズ鏡筒６６の外側壁面からカムフォロワとして突出した短軸１１６が摺動係合させられ、このカム溝１１４と短軸１１６とにより、転輪軸筒５４の回転運動をレンズ鏡筒６６の直線運動に変換するための運動変換機構が形成される。
【００６５】
図１ないし図９に示す実施形態のように、運動変換機構が雄ねじと雌ねじとの螺着により形成される場合、転輪軸筒５４の回転量は環状体６２或いはレンズ鏡筒６６の直線運動量に対して線型関係となる。しかしながら、一対の観察光学系１２Ｒ及び１２Ｌ或いは撮影光学系（６８、７０）の合焦位置については、対物光学系１４Ｒ及び１４Ｌに対する光学プリズム系１６Ｒ及び１６Ｌとの距離或いはＣＣＤ撮像素子７４の受光面に対する撮影光学系（６８、７０）に対する距離に対して必ずしも線型関係とはならない。
【００６６】
従って、一対の観察光学系１２Ｒ及び１２Ｌ或いは撮影光学系（６８、７０）について正確な合焦位置を得るためには、図１０に示すような変形実施形態の場合のように、運動変換機構についてはカム溝（１１０、１１４）と短軸（１１２、１１６）とにより形成することが好ましい。というのは、勿論、転輪軸筒５４の回転量と環状体６２或いはレンズ鏡筒６６の直線運動量との関係を容易に非線型とすることが可能であり、その結果として、一対の観察光学系１２Ｒ及び１２Ｌ或いは撮影光学系（６８、７０）について正確な合焦位置が得られるからである。しかしながら、実際には、一対の観察光学系１２Ｒ及び１２Ｌについても或いは撮影光学系（６８、７０）についても或る程度の焦点深度が得られるので、図１ないし図９に示す実施形態のように、運動変換機構を雄ねじと雌ねじとの螺着により形成しても特に差し支えはない。
【００６７】
図１１及び図１２を参照すると、本発明による撮影機能付双眼鏡の別の実施形態が示され、この実施形態はＬＣＤ表示器８６の右方側辺から張出し部１１８が突出させられている点を除けば上述した実施形態と同じものである。なお、図１１及び図１２は図８及び図９にそれぞれ対応するものであり、図１１及び図１２では、図８及び図９に示す構成要素と同様な構成要素については同じ参照符号が用いられている。
【００６８】
図１１及び図１２の比較から明らかなように、張出し部１１８はＬＣＤ表示器８６が表示位置（図１２）から収納位置（図１１）に戻されたとき、張出し部１１８は被写体像表示スイッチ１０４を覆うように機能する。換言すれば、ＬＣＤ表示器８６が収納位置に置かれたとき、被写体像表示スイッチ１０４は張出し部１１８によって覆い隠されるようにＬＣＤ表示器８６の右方側辺に隣接して配置される。このような構成によれば、撮影機能付双眼鏡の電源スイッチがオン状態でしかもＬＣＤ表示器８６に被写体像を動画として表示する必要のないとき（即ち、ＬＣＤ表示器８６が収納位置に置かれているとき）、被写体像表示スイッチ１０４を誤って操作することが回避され得る。
【００６９】
例えば、ＬＣＤ表示器８６を収納位置に置いた状態で撮影機能付双眼鏡を持ち運ぶとき、被写体像表示スイッチ１０４は張出し部１１８によって覆い隠されているので、被写体像表示スイッチ１０４が誤って動作されてＬＣＤ表示器８６での動画表示が無用に行われるということは回避され、このため撮影機能付観察光学装置のバッテリ９２が無駄に消費されるとうい事態が回避される。
【００７０】
なお、ＬＣＤ表示器８６が収納位置に置かれたとき、被写体像表示スイッチ１０４が転輪部５６のようにＬＣＤ表示器８６自体によって覆い隠されるような位置に配置されている場合には、勿論、ＬＣＤ表示器８６に張出し部１１８を設ける必要は無い。
【００７１】
【発明の効果】
以上の記載から明らかなように、本発明による撮影機能付双眼鏡にあっては、観察者は被写体像をモニタするための表示器の表示画面と一対の観察光学系１２Ｒ及び１２Ｌによる観察との切替を迅速に行うことができるので、観察対象物（被写体）を見失うことなく最良のシャッタチャンスを容易に捉えることが可能となる。
【００７２】
また、本発明による撮影機能付双眼鏡においては、転輪軸筒内に撮影光学系が組み込まれるので、その双眼鏡としての機能を果たすために必要とされる全体構成以上に大巾に嵩張らせることなく撮影機能を組み込むことが可能であり、また撮影光学系は一対の観察光学系とは独立しているので、十分な光量で撮影を行うことができる。なお、双眼鏡の転輪部には観察者の指で容易に回転し得るように比較的大きな径が与えられるので、該転輪部の回転軸が撮影光学系を設置するための転輪軸筒として形成されたとしても、双眼鏡としての機能を果たすために必要とされる全体構成が大巾に嵩張るというようなことはない。
【図面の簡単な説明】
【図１】本発明による撮影機能付双眼鏡の一実施形態を示す平面断面図である。
【図２】図１のII-II線に沿う断面図であって、撮影機能付双眼鏡の可動ケーシング部分を収納位置で示す図である。
【図３】図２の同様な断面図であって、撮影機能付双眼鏡の可動ケーシング部分を最大引出し位置で示す図である。
【図４】撮影機能付双眼鏡のケーシング内に設けられる支持板構造体の平面図である。
【図５】図４に示す支持板構造体上に設置される右側マウント板及び左側マウント板の平面図である。
【図６】図５のVI-VI線に沿う矢視図である。
【図７】図１のVII-VII線に沿う縦断面図である。
【図８】本発明による撮影機能付双眼鏡の外観を示す平面図であって、ＬＣＤ表示器を収納位置で示す図である。
【図９】図８と同様な平面図であって、ＬＣＤ表示器を表示位置で示す図である。
【図１０】図７と同様な縦断面図であって、本発明による撮影機能付双眼鏡の変形実施形態を示す図である。
【図１１】本発明による撮影機能付双眼鏡の別の実施形態の外観を示す、図８に対応した平面図であって、ＬＣＤ表示器を収納位置で示す図である。
【図１２】図１１と同様な平面図であって、ＬＣＤ表示器を表示位置で示す図である。
【符号の説明】
１０  ケーシング
１０Ａ  ケーシング本体部分
１０Ｂ  可動ケーシング部分
１２Ｒ  右側観察光学系
１２Ｌ  左側観察光学系
２０  支持板構造体
２０Ａ  矩形状固定板
２０Ｂ  スライド板
３０Ｒ  右側マウント板
３０Ｌ  左側マウント板
４６  連結手段
４６Ａ  ロッド部材
４６Ｂ  二股部材
５０  前方スリーブ部材
５２  後方スリーブ部材
５４  転輪軸筒
５６  転輪部
６２  環状体
６６  レンズ鏡筒
６８  第１レンズ群
７０  第２レンズ群
７４  ＣＣＤ撮像素子
７６  光学的ローパスフィルタ
８６  ＬＣＤ表示器
１００  液晶表示画面
【図１】
0003887242.tif 000002
【図２】
0003887242.tif 000003
【図３】
0003887242.tif 000004
【図４】
0003887242.tif 000005
【図５】
0003887242.tif 000006
【図６】
0003887242.tif 000007
【図７】
0003887242.tif 000008
【図８】
0003887242.tif 000009
【図９】
0003887242.tif 000010
【図１０】
0003887242.tif 000011
【図１１】
0003887242.tif 000012
【図１２】
0003887242.tif 000013